(57)【要約】【課題】高さを抑えながらヒューズを遮断状態に保持でき、ヒューズ装着作業が容易で、かつ構成の簡素な電気接続箱を提供する。【解決手段】ブレード型の暗電流ヒューズ２１と、その複数の板状端子２１ａ、２１ｂが着脱可能に接続される複数の接続端子１５ａ、１５ｂと、複数の接続端子１５ａ、１５ｂを端子配置基準面に沿って平行に保持するブロック体１１とを備えた電気接続箱であり、板状端子２１ａ、２１ｂが端子配置基準面に沿って配置されるように暗電流ヒューズ２１を支持するとともに、ブロック体１１に対し端子配置基準面に沿う所定の直線移動方向Ａにスライド可能に支持されたスライド操作部材１３が設けられている。このスライド操作部材１３は、暗電流ヒューズ２１を、複数の板状端子２１ａ、２１ｂおよび複数の接続端子１５ａ、１５ｂが導通接触する接続位置と、両端子間の接続が遮断される遮断位置とのうちいずれか一方から他方に移動操作できる。【選択図】図１
2018073712.tif 000002
【特許請求の範囲】
【請求項１】
複数の板状端子が端子配置基準面に沿って配置されるブレード型の回路保護部品と、
前記回路保護部品の前記複数の板状端子が着脱可能に接続される複数の接続端子と、
前記複数の接続端子を前記端子配置基準面に沿って平行に保持するブロック体と、を備えた電気接続箱であって、
前記回路保護部品の前記板状端子が前記端子配置基準面に沿って配置されるように前記回路保護部品を支持するとともに、前記ブロック体に対し前記端子配置基準面に沿う所定の直線移動方向にスライド可能に支持されたスライド操作部材が設けられており、
前記スライド操作部材は、前記回路保護部品を、前記複数の板状端子および前記複数の接続端子が導通接触する接続位置と、前記複数の板状端子および前記複数の接続端子の接続が遮断される遮断位置とのうちいずれか一方から他方に移動操作可能であることを特徴とする電気接続箱。
【請求項２】
前記回路保護部品は、前記板状端子の基端側が一体に埋設された平板状のハウジング部材を有し、
前記スライド操作部材は、前記回路保護部品の前記板状ハウジング部のうち少なくとも前記板状端子側の端部を嵌入させるとともに、前記板状ハウジング部を前記接続端子の端子幅方向の両側から挟持する凹状の嵌合保持部と、前記嵌合保持部の内底面に開口し前記板状端子を貫通させる貫通孔部と、を有することを特徴とする請求項１に記載の電気接続箱。
【請求項３】
前記ブロック体は、前記端子配置基準面を中心として形成され、前記回路保護部品の前記複数の板状端子が前記スライド操作部材と共に前記所定の直線移動方向に移動するのを許容するスリット部を有し、
前記複数の接続端子は、前記回路保護部品の前記複数の板状端子が前記スライド操作部材と共に前記所定の直線移動方向に移動するとき、前記回路保護部品の前記複数の板状端子が前記端子幅方向に相対移動するのを許容するように弾性変形する一方、前記接続位置に達した前記複数の板状端子を板厚方向に挟持するように接触することを特徴とする請求項２に記載の電気接続箱。
【発明の詳細な説明】
【技術分野】
【０００１】
本発明は、電気接続箱に関し、特に暗電流を消費する車載電装品への待機電力供給回路に好適な電気接続箱に関する。
【背景技術】
【０００２】
自動車等の車両においては、その車両の運転停止中にデータ保持機能や待ち受け機能等を維持するバックアップＲＡＭ、時計その他の電装品が実装されており、それら電装品にバッテリーから微弱電流である暗電流を供給する待機電力供給回路が併設されている。
【０００３】
そのような待機電力供給回路としては、いわゆるミニヒューズ等の暗電流ヒューズを着脱可能な電気接続箱を備え、この電気接続箱に装着される暗電流ヒューズを車両の組立時や出荷時等まで取り外しておくことにより、長時間の暗電流消費によるバッテリー上がりを防止できるようにしているものが多い。
【０００４】
従来のこの種の電気接続箱として、例えば暗電流ヒューズに対する接触子を有するヒューズブロックと、暗電流ヒューズを端子幅方向にスライド挿着させるガイド孔が形成されたヒューズホルダとを有し、ヒューズホルダをヒューズブロックに対して上下方向にスライドさせ、これら双方に設けられた槍形の仮係止手段および本係止手段によって暗電流ヒューズおよび接触子の嵌合位置で相互に係止するものが知られている。
【先行技術文献】
【特許文献】
【０００５】
【特許文献１】特開平０５−１５９６９３号公報
【発明の概要】
【発明が解決しようとする課題】
【０００６】
しかしながら、上記従来の電気接続箱にあっては、暗電流ヒューズをその端子幅方向にスライドさせてヒューズホルダのガイド孔内に装填した後、ヒューズブロックに対してヒューズホルダを端子長さ方向である上下方向に押し下げるという２方向の移動操作が必要であった。そのため、２方向の嵌合やスライドを伴う煩雑なヒューズ装着作業が必要になるだけでなく、２方向の移動のガイドや係止手段等が必要となることで電気接続箱の構成が複雑になってしまうという問題があった。
【０００７】
さらに、車両の組立時や出荷時等までの長期にわたり、ヒューズブロックに対するヒューズホルダの高さを、暗電流ヒューズを非接続（遮断）状態にする高さに保持しておく構成であるため、無駄なスペースが必要になり、車両における電装品実装スペースの省スペース化の要求に応えることができないという問題もあった。
【０００８】
本発明は、このような従来の未解決の課題を解決するものであり、高さを抑えながらもヒューズを遮断状態に保持でき、ヒューズ装着作業が容易で、かつ構成の簡素な電気接続箱を提供することを目的とする。
【課題を解決するための手段】
【０００９】
本発明に係る電気接続箱は、上記目的達成のため、複数の板状端子が端子配置基準面に沿って配置されるブレード型の回路保護部品と、前記回路保護部品の前記複数の板状端子が着脱可能に接続される複数の接続端子と、前記複数の接続端子を前記端子配置基準面に沿って平行に保持するブロック体と、を備えた電気接続箱であって、前記回路保護部品の前記板状端子が前記端子配置基準面に沿って配置されるように前記回路保護部品を支持するとともに、前記ブロック体に対し前記端子配置基準面に沿う所定の直線移動方向にスライド可能に支持されたスライド操作部材が設けられており、前記スライド操作部材は、前記回路保護部品を、前記複数の板状端子および前記複数の接続端子が導通接触する接続位置と、前記複数の板状端子および前記複数の接続端子の接続が遮断される遮断位置とのうちいずれか一方から他方に移動操作可能であることを特徴とする。
【００１０】
この構成により、本発明の電気接続箱では、スライド操作部材に支持された複数の板状端子がスライド操作部材によって接続位置側に操作されるまで、複数の板状端子と複数の接続端子の間の接続が遮断されており、ブロック体に対しスライド操作部材が所定の直線移動方向にスライド操作されると、回路保護部品の複数の板状端子が端子配置基準面に沿って所定の直線移動方向に移動し、複数の接続端子と導通接触する接続位置に達する。したがって、回路保護部品の装着位置、例えばヒューズの接続位置への移動による最終装着の作業が容易化される。しかも、複数の板状端子がブロック体側の複数の接続端子に接続する接続位置にあるときも、その接続が遮断される遮断位置にあるときも、ヒューズ部材の設置高さは変わらずに済むので、高さを抑えながらもヒューズを長期間遮断状態に安定保持できる構成の簡素な電気接続箱となる。
【００１１】
本発明の電気接続箱において、前記回路保護部品は、前記板状端子の基端側が一体に埋設された平板状のハウジング部材を有し、前記スライド操作部材は、前記回路保護部品の前記板状ハウジング部のうち少なくとも前記板状端子側の端部を嵌入させるとともに、前記板状ハウジング部を前記接続端子の端子幅方向の両側から挟持する凹状の嵌合保持部と、前記嵌合保持部の内底面に開口し前記板状端子を貫通させる貫通孔部と、を有するように構成することができる。
【００１２】
この構成により、回路保護部品をスライド操作部材によって確実に保持可能となる。
【００１３】
本発明の電気接続箱においては、前記ブロック体は、前記端子配置基準面を中心として形成され、前記回路保護部品の前記複数の板状端子が前記スライド操作部材と共に前記所定の直線移動方向に移動するのを許容するスリット部を有し、前記複数の接続端子は、前記回路保護部品の前記複数の板状端子が前記スライド操作部材と共に前記所定の直線移動方向に移動するとき、前記回路保護部品の前記複数の板状端子が前記端子幅方向に相対移動するのを許容するように弾性変形する一方、前記接続位置に達した前記複数の板状端子を板厚方向に挟持するように接触する構成とすることもできる。
その場合、前記スライド操作部材は、前記ブロック体上で前記所定の直線移動方向に移動可能なスライド板部と、該スライド板部から前記スリット部内に突出し、前記貫通孔部を貫通する前記板状端子と共に前記端子配置基準面上に整列しつつ、前記複数の板状端子が前記複数の接続端子に対し前記端子幅方向に相対変位するのを案内する挿入ガイド部を有していてもよい。
【発明の効果】
【００１４】
本発明によれば、高さを抑えながらもヒューズを遮断状態に保持でき、ヒューズ装着作業が容易で、かつ構成の簡素な電気接続箱を提供することができる。
【図面の簡単な説明】
【００１５】
【図１】本発明の一実施の形態に係る電気接続箱の要部概略斜視図であり、その暗電流ヒューズの接続前の状態を示している。
【図２】本発明の一実施の形態に係る電気接続箱の要部概略斜視図であり、その暗電流ヒューズの接続時の状態を示している。
【図３】本発明の一実施の形態に係る電気接続箱の要部概略正面図であり、（ａ）はその暗電流ヒューズの接続前の状態を示し、（ｂ）はその暗電流ヒューズの接続時の状態を示している。
【図４】本発明の一実施の形態に係る電気接続箱の要部概略上面図であり、（ａ）はその暗電流ヒューズの接続前の状態を示し、（ｂ）はその暗電流ヒューズの接続時の状態を示している。
【図５】本発明の一実施の形態に係る電気接続箱の要部概略側面断面図である。
【図６】（ａ）は本発明の一実施の形態に係る電気接続箱における暗電流ヒューズとスライド操作部材の嵌合状態を示す部分断面図であり、（ｂ）は（ａ）における矢印Ｂ６方向の矢視図である。
【図７】（ａ）は本発明の一実施の形態に係る電気接続箱におけるスライド操作部材の変形態様を暗電流ヒューズと嵌合した状態で示す部分断面図であり、（ｂ）は（ａ）におけるＢ７−Ｂ７矢視断面図、（ｃ）は（ａ）における矢印Ｃ７方向の矢視図である。
【図８】本発明の一実施の形態に係る電気接続箱の要部概略上面図であり、その暗電流ヒューズの接続前の状態を示している。
【図９】図８におけるＥ９−Ｅ９矢視断面図である。
【図１０】本発明の一実施の形態に係る電気接続箱の全体概略斜視図である。
【発明を実施するための形態】
【００１６】
以下、本発明を実施するための形態について図面を参照しつつ説明する。
【００１７】
（一実施の形態）
図１ないし図１０は、本発明に係る電気接続箱の一実施の形態を示している。
【００１８】
図１０に一例の全体概略形状を示す本実施の形態の電気接続箱１０は、自動車の運転停止中、例えばＡＣＣ電源のＯＦＦ状態下で、所定の電装品にバッテリーから暗電流（待機電力）を供給する待機電力供給回路の一部として、自動車に搭載されるものである。
【００１９】
この電気接続箱１０は、いわゆるブレード型のミニヒューズで構成される暗電流ヒューズ２１（回路保護部品）を着脱可能なものであり、その暗電流ヒューズ２１を車両の組立時や出荷時等まで非接続状態にしておくことにより、長時間の暗電流消費によるバッテリー上がりを防止できるようになっている。
【００２０】
なお、図１０中では、電気接続箱１０には、暗電流ヒューズ２１以外に複数のヒューズ２２が装着され、さらにリレー等の他の素子が実装されているが、暗電流ヒューズ２１が実装されていれば、他の素子の実装形態は特に限定されない。また、素子の種類や接続先によって分けられた複数のブロックをそれぞれ電気接続箱１０の箱本体に装填するものであってもよい。
【００２１】
電気接続箱１０は、ブレード型の暗電流ヒューズ２１が装着されるヒューズブロックの一部である所定厚さのブロック体１１と、ブロック体１１上に配置されたカバー部材１２と、ブロック体１１上に図１中の矢印Ａ方向（後述する端子幅方向の一方側）にスライドさせる操作が可能な板状のスライド操作部材１３を含んで構成されている。
【００２２】
図３ないし図５に示すように、ブロック体１１には、少なくとも暗電流ヒューズ２１の複数の板状端子２１ａ、２１ｂに対応する複数の接続端子１５ａ、１５ｂが、仮想の端子配置基準面Ｄ（図８参照）に沿って配置され、埋設されている。
【００２３】
カバー部材１２は、ブロック体１１上に暗電流ヒューズ２１を収納可能な収納空間１４を形成するとともに、暗電流ヒューズ２１を取り付ける前に複数の接続端子１５ａ、１５ｂの一部を露出させるヒューズ取付け用のスリット状の開口１６を上方から覆っている。
【００２４】
スライド操作部材１３は、ブロック体１１上で所定の直線移動方向である矢印Ａ方向に移動する短冊状のスライド板部１３ｐを有しており、このスライド板部１３ｐには、板状端子２１ａ、２１ｂが垂直に貫通する端子孔１３ａと、暗電流ヒューズ２１のブレード部２１ｃを一端部側で嵌入させる嵌合凹部１３ｃ（嵌合保持部）とが形成されている。また、カバー部材１２から離れるスライド板部１３ｐの長手方向の一端側には、その上面側に突出するスライド操作用の突起部１３ｄが設けられている。
【００２５】
具体的には、スライド操作部材１３の嵌合凹部１３ｃは、スライド板部１３ｐの上面側に開く略長方形の凹状をなしており、板状端子２１ａ、２１ｂが突出するブレード部２１ｃの一端部の長さに対応する長さと内幅を有している。
【００２６】
また、端子孔１３ａは、その嵌合凹部１３ｃの内底面１３ｅ上に開口しスライド操作部材１３の板厚方向に貫通する貫通孔部となっている。
【００２７】
そして、暗電流ヒューズ２１のブレード部２１ｃが嵌合凹部１３ｃに嵌入されたとき、スライド操作部材１３は、そのブレード部２１ｃおよび板状端子２１ａ、２１ｂを板状端子２１ａ、２１ｂの端子幅方向である図６の左右方向に一体に挟持（挟圧保持）するとともに、複数の板状端子２１ａ、２１ｂをそれらの板厚方向に位置決めすることができる。
【００２８】
スライド操作部材１３は、その短手方向の両側でブロック体１１上の一対のガイドレール部１１ｒに摺動自在に係合しており、ブロック体１１に対して矢印Ａ方向にスライドできるようになっている。また、一対のガイドレール部１１ｒは、互いに対向する略コの字形凹断面形状を有しており、ブロック体１１の上面付近に固定されている。
【００２９】
また、図３、図５および図９に示すように、複数の接続端子１５ａ、１５ｂは、ブロック体１１を上下方向に貫通する端子保持孔１１ｈ、１１ｉに対して同図中の下方側から挿入されて抜け止め保持されている。
【００３０】
さらに、各接続端子１５ａ、１５ｂは、暗電流ヒューズ２１の複数の板状端子２１ａ、２１ｂのうち対応する板状端子２１ａまたは２１ｂに対して、その板厚方向の両側から所定の接触圧で導通接触するとともに、その板状端子２１ａまたは２１ｂを挟圧保持することができるコンタクト部分１５ｃ、１５ｄ（図８参照）を有している。
【００３１】
これらコンタクト部分１５ｃ、１５ｄは、暗電流ヒューズ２１の対応する板状端子２１ａまたは２１ｂが接続されない自由形状時には、図８に示すように暗電流ヒューズ２１の複数の板状端子２１ａ、２１ｂの板厚より狭い微小隙間を隔てているか、あるいは、互いに接触している。
【００３２】
ブロック体１１のヒューズ取付け用のスリット状の開口１６は、図８に示すように、端子配置基準面Ｄを幅方向の中心として一定幅に形成され、暗電流ヒューズ２１の複数の板状端子２１ａ、２１ｂがスライド操作部材１３と共に所定の直線移動方向である矢印Ａ方向に移動するのを許容するスリット部を形成している。
【００３３】
このスリット状の開口１６は、端子配置基準面Ｄに沿って延在し、複数の接続端子１５ａ、１５ｂは、端子配置基準面Ｄに沿って配置されているので、スライド操作部材１３を矢印Ａ方向にスライド操作することで、暗電流ヒューズ２１の複数の板状端子２１ａ、２１ｂは、複数の接続端子１５ａ、１５ｂに導通接触する接続位置（図２、図３（ｂ）および図４（ｂ）参照）と、その接続位置から外れて導通状態が遮断される遮断位置（図１、図３（ａ）、図４（ａ）および図９参照）とに移動させることができる。
【００３４】
複数の接続端子１５ａ、１５ｂは、暗電流ヒューズ２１の複数の板状端子２１ａ、２１ｂがスライド操作部材１３と共に矢印Ａ方向に移動するとき、暗電流ヒューズ２１の複数の板状端子２１ａ、２１ｂが端子幅方向に相対移動するのを許容するように弾性変形する一方、接続位置に達した複数の板状端子２１ａ、２１ｂを板厚方向に挟持するように所定圧力接触するようになっている。
【００３５】
より具体的には、図６および図９に示すように、板状端子２１ａ、２１ｂが端子孔１３ａを貫通し、板状のハウジング部であるブレード部２１ｃがスライド操作部材１３の嵌合凹部１３ｃに嵌入保持されたとき、暗電流ヒューズ２１は、スライド操作部材１３によって、複数の板状端子２１ａ、２１ｂを図３および図５中の上下方向に広がる平面である端子配置基準面Ｄに沿って平行に、かつ矢印Ａ方向にスライド可能な状態に保持される。
【００３６】
そして、スライド操作部材１３が接続位置にスライド操作されたとき、複数の接続端子１５ａ、１５ｂのそれぞれのコンタクト部分１５ｃ、１５ｄの間に暗電流ヒューズ２１の複数の板状端子２１ａ、２１ｂが挿入され、そのときのコンタクト部分１５ｃ、１５ｄの弾性変形量に応じて、これらコンタクト部分１５ｃ、１５ｄが複数の板状端子２１ａ、２１ｂに対し板厚方向の両側から所定の接触圧で導通接触する。
【００３７】
このように、本実施形態においては、スライド操作部材１３は、暗電流ヒューズ２１の板状端子１５ａ、１５ｂが端子配置基準面Ｄに沿って配置されるように、暗電流ヒューズ２１を支持するとともに、ブロック体１１に対し端子配置基準面Ｄに沿う所定の直線移動方向である矢印Ａ方向にスライド可能に支持されている。
【００３８】
そして、スライド操作部材１３は、ブロック体１１に対し端子配置基準面Ｄに沿う矢印Ａ方向にスライドすることで、暗電流ヒューズ２１をその雄側の板状端子２１ａが雌側の接続端子１５ａに、その雄側の板状端子２１ｂが雌側の接続端子１５ｂにそれぞれ導通接触する接続位置と、複数の板状端子２１ａ、２１ｂが複数の接続端子１５ａ、１５ｂとの接続を遮断する遮断位置とのうちいずれか一方から他方に、例えば遮断位置から接続位置に移動操作可能になっている。
【００３９】
暗電流ヒューズ２１の板状端子２１ａ、２１ｂは、それぞれ導体金属で構成されるとともに、図６に示すように、ブレード部２１ｃ内で溶断部２１ｄを介して導通接続されている。暗電流ヒューズ２１の溶断部２１ｄは、暗電流程度の所定の定格電流を定常的に流すことができる一方、その暗電流に応じた待機電力を消費する接続先の電装品にダメージを与えるような過電流が流れると、ジュール熱により発熱し溶断する可溶性を有している。
【００４０】
暗電流ヒューズ２１のブレード部２１ｃは、導体金属製の板状端子２１ａ、２１ｂの基端側が一体に埋設された樹脂製の平板状のハウジング部材となっており、溶断部２１ｄの中央部付近に空間を形成していてもよい。
【００４１】
なお、スライド操作部材１３は、図６に示すように、暗電流ヒューズ２１の板状端子２１ａ、２１ｂを貫通させる貫通孔部である１つのスリット状の端子孔１３ａを有するものとして説明したが、図７に変形態様を示すように、スライド操作部材１３は、スライド板部１３ｐに形成された嵌合凹部１３ｃの内底面１３ｅ上に開口し、スライド操作部材１３の板厚方向に貫通する複数の端子孔１３ｂ（貫通孔部）を有しているものでもよい。
【００４２】
また、図７に示すように、スライド操作部材１３は、ブロック体１１上で矢印Ａ方向に移動可能なスライド板部１３ｐと、そのスライド板部１３ｐからスリット状の開口１６（スリット部）内に突出し、板状端子２１ａ、２１ｂと共に端子配置基準面Ｄ上に整列しつつ、複数の板状端子２１ａ、２１ｂが複数の接続端子１５ａ、１５ｂに対し端子幅方向に相対変位するのを案内する電気絶縁性の挿入ガイド部１３ｇを有しているものであってもよい。
【００４３】
さらに、図７に示すように、挿入ガイド部１３ｇは、暗電流ヒューズ２１の複数の板状端子２１ａ、２１ｂが遮断位置から接続位置側へと矢印Ａ方向に移動するとき、複数の板状端子２１ａ、２１ｂに先行して複数の接続端子１５ａ、１５ｂのコンタクト部分１５ｃ、１５ｄの間に進入するよう、複数の板状端子２１ａ、２１ｂより矢印Ａ方向側にそれぞれ配置されており、矢印Ａ方向における先端側がくさび状に形成されていてもよい。
【００４４】
次に、作用を説明する。
【００４５】
上述のように構成された本実施の形態の電気接続箱１０においては、暗電流ヒューズ２１がスライド操作部材１３の嵌合凹部１３ｃに嵌入保持され、暗電流ヒューズ２１の複数の板状端子２１ａ、２１ｂが遮断位置側に位置する初期状態が、スライド操作部材１３の移動操作によって暗電流ヒューズ２１の複数の板状端子２１ａ、２１ｂが接続位置側に移動するまで維持され、例えば電気接続箱１０の製造から車両の組立あるいは車両の出荷時までの間、複数の板状端子２１ａ、２１ｂと複数の接続端子１５ａ、１５ｂの間の接続が遮断される。したがって、電気接続箱１０は、暗電流ヒューズ２１を長期間遮断状態に安定保持できるものとなる。
【００４６】
今、例えば車両の出荷時になったとすると、ブロック体１１に対しスライド操作部材１３がスライド操作用の突起部１３ｄを介して矢印Ａ方向にスライド操作されることで、暗電流ヒューズ２１の複数の板状端子２１ａ、２１ｂが、端子配置基準面Ｄに沿って矢印Ａ方向である所定の直線移動方向に移動し、複数の接続端子１５ａ、１５ｂと導通接触する接続位置に達する。
【００４７】
このとき、暗電流ヒューズ２１を遮断位置から接続位置にスライド操作するだけの装着作業は、非常に容易である。暗電流ヒューズ２１の遮断位置は、図３（ａ）および図４（ａ）に示す位置であっても、図９に示す位置であってもよい。
【００４８】
本実施形態では、暗電流ヒューズ２１の複数の板状端子２１ａ、２１ｂがブロック体１１側の複数の接続端子１５ａ、１５ｂに接続する接続位置にあるときでも、その接続が遮断される遮断位置にあるときでも、暗電流ヒューズ２１の設置高さは変わらずに済むので、カバー部材１２や電気接続箱１０の図示しない蓋の高さを抑えることができ、電気接続箱１０の設置スペースの省スペース化を図ることができる。
【００４９】
さらに、本実施形態の電気接続箱１０では、既述の従来例のように２方向のスライドとすることなく、１方向のスライド操作のみで暗電流ヒューズ２１の接続位置への最終的な装着作業が可能となるので、スライドごとのガイドやストッパが半分で済み、構成を簡素化できることになる。
【００５０】
また、本実施形態では、暗電流ヒューズ２１がブレード部２１ｃを有し、スライド操作部材１３がそのブレード部２１ｃを板状端子２１ａ、２１ｂの端子幅方向に挟持する嵌合凹部１３ｃと、その内底面１３ｅに開口する端子孔１３ａあるいは１３ｂを有しているので、暗電流ヒューズ２１をスライド操作部材１３によって確実に保持可能となる。
【００５１】
このように、本実施の形態においては、高さを抑えながらもブレード型の暗電流ヒューズ２１を遮断状態に確実に保持でき、その暗電流ヒューズ２１の最終接続位置への装着作業が容易で、かつ構成の簡素な電気接続箱１０を提供することができる。
【００５２】
なお、上述の各実施の形態では、スライド操作部材１３に１つの暗電流ヒューズ２１を嵌合保持させるものとしたが、複数の暗電流ヒューズ２１を保持させてもよいことはいうまでもない。また、端子配置基準面の方向で接続位置と遮断位置とに移動させるものであれば、暗電流ヒューズ２１以外のヒューズその他の回路保護部品でもよい。さらに、電気接続箱１０における暗電流ヒューズ２１の配置姿勢や配置数、配置場所等が任意であり、複数の接続端子１５ａ、１５ｂの端子形状やその導体材料等が任意であることも、勿論である。
【００５３】
以上説明したように、本発明は、高さを抑えながらもヒューズを遮断状態に保持でき、ヒューズ装着作業が容易で、かつ構成の簡素な電気接続箱を提供できるものであり、暗電流を消費する車載電装品への待機電力供給回路に好適な電気接続箱全般に有用である。
【符号の説明】
【００５４】
１０  電気接続箱
１１  ヒューズブロック（ブロック体）
１１ｈ、１１ｉ  端子保持孔
１１ｒ  ガイドレール部
１２  カバー部材
１３  スライド操作部材
１３ａ、１３ｂ  端子孔
１３ｃ  嵌合凹部（凹状の嵌合保持部）
１３ｄ  スライド操作用の突起部
１３ｅ  内底面
１３ｇ  挿入ガイド部
１３ｐ  スライド板部
１４  収納空間
１５ａ、１５ｂ  接続端子
１５ｃ、１５ｄ  コンタクト部分（導通接触部分）
１６  スリット状の開口（スリット部）
２１  暗電流ヒューズ（回路保護部品）
２１ａ、２１ｂ  板状端子
２１ｃ  ブレード部
２１ｄ  溶断部
２２  他のヒューズ
【図１】
2018073712.tif 000003
【図２】
2018073712.tif 000004
【図３】
2018073712.tif 000005
【図４】
2018073712.tif 000006
【図５】
2018073712.tif 000007
【図６】
2018073712.tif 000008
【図７】
2018073712.tif 000009
【図８】
2018073712.tif 000010
【図９】
2018073712.tif 000011
【図１０】
2018073712.tif 000012